(57)【要約】    【課題】      不要な逆拡散処理を減らし、パスサーチにおける消費電力を少なくすること。    【解決手段】  基地局ＢＳ１とＢＳ２とは連携して、同一内容のデータをブロック単位でタイミング差を設けて送信している。逆拡散処理部１０６−１、１０６−２は、両基地局ＢＳ１、ＢＳ２からの受信信号を逆拡散して各々の受信データを出力する。この受信データが入力される誤り検出部１０７で、先行する、例えば基地局ＢＳ１からの受信データが正しいと判定されると、この判定結果を順次記憶するパス選択制御部１０３は、後行してデータを送信する基地局ＢＳ２からの同一ブロックの受信データの逆拡散処理を禁止する。  【選択図】      図１
2006295680.tif 000002
【特許請求の範囲】
【請求項１】
ＣＤＭＡ方式による同一内容の受信信号を複数の基地局装置からそれぞれ受ける通信端末装置において、
前記複数の基地局装置からの前記受信信号を逆拡散して、受信データを得る逆拡散処理手段と、
前記逆拡散処理手段から出力された前記受信データの誤りの有無を検出する誤り検出手段と、
前記誤り検出手段の検出結果に基づき、先行して受信した同一受信データに誤りがない場合、後行する受信信号の逆拡散を停止する逆拡散停止制御手段と、
を具備する通信端末装置。
【請求項２】
各基地局装置からの受信信号を受けて各基地局装置の遅延プロファイルを作成する遅延プロファイル作成手段を有し、前記逆拡散処理手段は、前記遅延プロファイルに基づく有効パスを利用して、前記基地局装置からの受信信号を逆拡散する請求項１に記載の通信端末装置。
【請求項３】
前記逆拡散処理手段は、前記遅延プロファイルに基づき、有効パスが割り当てられるフィンガを有し、前記逆拡散停止制御手段は、前記有効パスの割り当てを停止して前記逆拡散を停止する請求項２に記載の通信端末装置。
【請求項４】
前記逆拡散停止制御手段は、前記誤り検出手段の検出結果に基づき、先行して受信した同一受信データに誤りがない場合、後行して同一内容の信号を送信する前記基地局装置の遅延プロファイルの作成を停止する請求項２に記載の通信端末装置。
【請求項５】
前記先行して受信したデータに誤りがある場合、後行して同一データを送信する前記基地局装置からの受信信号を逆拡散して受信データを得、後行して得た前記受信データを用いてデータの補完処理を行う請求項１に記載の通信端末装置。
【請求項６】
ＣＤＭＡ方式による同一内容の受信信号を複数の基地局装置からそれぞれ受ける通信端末装置の制御方法において、
前記複数の基地局装置からの前記受信信号を逆拡散して、受信データを得る逆拡散処理ステップと、
前記逆拡散処理ステップから出力された前記受信データの誤りの有無を検出する誤り検出ステップと、
前記誤り検出ステップの検出結果に基づき、先行して受信した同一受信データに誤りがない場合、後行する受信信号の逆拡散を停止する逆拡散停止制御ステップと、
を具備する通信端末装置の制御方法。
【発明の詳細な説明】
【技術分野】
【０００１】
本発明は、ＣＤＭＡ（Code Division Multiple Access）方式の移動体通信システムにおいて使用される通信端末装置およびその制御方法に関する。
【背景技術】
【０００２】
ＣＤＭＡ方式の移動体通信システムにおいて、移動通信環境で生じる伝搬時刻の異なる複数のパス(マルチパス)は遅延プロファイルを作成することにより分離・抽出できる。マルチパスから有効パスを選択することにより、ダイバーシティ効果を利用して受信性能を向上させることが可能である。この様に有効パスを探すことをパスサーチと呼ぶ。
【０００３】
従来の通信端末装置のパスサーチ処理回路は、複数基地局装置からデータを受信する際、基地局装置毎に有効パスを検出する（例えば特許文献１参照）。
【０００４】
また、近時複数の基地局装置が連携して、通信端末装置に対しサービスを行うＭＢＭＳ（Multimedia Broadcast/Multicast Service）システムが検討されており、ＭＢＭＳシステムでは、複数の基地局装置が同一データを送信する場合がある。
【特許文献１】特開２０００−１３４１３５号公報
【発明の開示】
【発明が解決しようとする課題】
【０００５】
しかしながら、複数の基地局装置が同一データを送信する、例えばＭＢＭＳシステムに対応する通信端末装置に特許文献１に記載される従来のパスサーチ処理回路を採用すると、通信端末装置が複数の基地局装置から受信する場合には、基地局装置毎に逆拡散処理回路が同時に動作し、通信端末装置の消費電力が増加するという問題があった。
【０００６】
本発明は、従来の問題を解決するためになされたもので、逆拡散処理での不要な処理を減らし、消費電力を少なくすることができる通信端末装置およびその制御方法を提供することを目的とする。
【課題を解決するための手段】
【０００７】
本発明の通信端末装置は、ＣＤＭＡ方式による同一内容の受信信号を複数の基地局装置からそれぞれ受ける通信端末装置において、前記複数の基地局装置からの前記受信信号を逆拡散して、受信データを得る逆拡散処理手段と、前記逆拡散処理手段から出力された前記受信データの誤りの有無を検出する誤り検出手段と、前記誤り検出手段の検出結果に基づき、先行して受信した同一受信データに誤りがない場合、後行する受信信号の逆拡散を停止する逆拡散停止制御手段と、を具備する構成を採る。
【０００８】
また本発明の通信端末装置の制御方法は、ＣＤＭＡ方式による同一内容の受信信号を複数の基地局装置からそれぞれ受ける通信端末装置の制御方法において、前記複数の基地局装置からの前記受信信号を逆拡散して、受信データを得る逆拡散処理ステップと、前記逆拡散処理ステップから出力された前記受信データの誤りの有無を検出する誤り検出ステップと、前記誤り検出ステップの検出結果に基づき、先行して受信した同一受信データに誤りがない場合、後行する受信信号の逆拡散を停止する逆拡散停止制御ステップと、を具備する構成を採る。
【発明の効果】
【０００９】
本発明によれば、同一内容のデータを受信するにあたって一つの基地局装置から送信されたデータを正しく逆拡散することができた場合には、他の基地局装置から送信された同一データの逆拡散を行わないようにすることができるので、不要な逆拡散処理を抑制することができ、通信端末装置の消費電力を低減することができる。
【発明を実施するための最良の形態】
【００１０】
以下、本発明の実施の形態について図面を参照して詳細に説明する。
【００１１】
（実施の形態１）
図１は、本発明の実施の形態１に係る通信端末装置ＭＳの構成を示すブロック図である。図１において、通信端末装置ＭＳは、複数の基地局装置からデータを受信可能であるが、説明の簡単のため本実施の形態では、二つの基地局装置ＢＳ１およびＢＳ２から各々独立して信号を受信するものとする。
【００１２】
通信端末装置ＭＳは、受信アンテナ１０４、高周波受信処理部１０５、パスサーチ処理回路１００、逆拡散処理部１０６−１、１０６−２、誤り検出部１０７および上位レイヤ処理部１０８から主に構成される。高周波受信処理部１０５は、受信アンテナ１０４で受信した高周波信号を、低雑音増幅した後中間周波数へ変換し、さらにＡＧＣ（Automatic Gain Control：自動利得制御）やＡＤ変換してディジタルの受信信号を得る。高周波受信処理部１０５は、受信信号をパスサーチ処理回路１００および逆拡散処理部１０６−１、１０６−２に出力する。
【００１３】
パスサーチ処理回路１００は、遅延プロファイル作成部１０１−１、１０１−２と、パス選択部１０２−１、１０２−２と、パス選択制御部１０３とを有する。
【００１４】
遅延プロファイル作成部１０１−１は、相関器を用いて基地局装置ＢＳ１からの受信信号の遅延プロファイルを作成する。遅延プロファイル作成部１０１−２は、相関器を用いて基地局装置ＢＳ２からの受信信号の遅延プロファイルを作成する。パス選択制御部１０３は、誤り検出部１０７が出力する受信信号の逆拡散するべき基地局装置を示す情報を、順次記憶し、この記憶内容に基づき、次に信号を逆拡散するべき基地局装置をパス選択部１０２−１、１０２−２に対し指定する制御を行う。パス選択部１０２−１、１０２−２は、パス選択制御部１０３で選択された基地局装置について、遅延プロファイル作成部１０１−１、１０１−２で作成された遅延プロファイルよりＲａｋｅ合成時に用いるパスの候補（以下有効パスと呼ぶ）を選択する。
【００１５】
逆拡散処理部１０６−１、１０６−２は、各々複数のフィンガを有し、受信信号に対する位相変動の補償や、パスサーチ処理回路１００でフィンガに割り当てられた有効パスの情報を用いて逆拡散を行って受信データを出力する。なお、通信端末装置ＭＳは、逆拡散処理部１０６−１、１０６−２の出力を、ＳＩＲ（Signal to interference power ratio：希望波信号電力対干渉信号電力比）測定や送信電力制御にも利用する。
【００１６】
誤り検出部１０７は、逆拡散処理部１０６−１、１０６−２の出力を受けて、所定の受信データブロックごとに、誤り検出処理を行う。例えば、受信データブロックに付随するＣＲＣ（Cyclic Redundancy Check：巡回冗長検査）判定結果を用いて、「誤りなし」（以下「ＯＫ」と記載）もしくは「誤りあり」（以下「ＮＧ」と記載）の判定を行う。なお、誤り検出は、受信データが一定以上の品質を有するか否かを判定するもので、判定アルゴリズムはＣＲＣに限られない。
【００１７】
誤り検出部１０７は、現在処理中の基地局装置からの受信データブロックに対するＣＲＣ判定結果をパス選択制御部１０３に転送する。
【００１８】
上位レイヤ処理部１０８は、誤り検出部１０７で「ＣＲＣがＯＫ」と判定された受信データブロックに対し、上位レイヤに転送するためのデータ処理を行う。
【００１９】
以上のように構成された通信端末装置ＭＳについて、図２、図３−１、図３−２を用いてその動作を説明する。
【００２０】
図２は、実施の形態１に係る通信端末装置ＭＳの動作を時系列に示すタイミング図である。また、図３−１、図３−２は、実施の形態１に係る通信端末装置ＭＳの動作を表すフロー図である。
【００２１】
図２のタイミング図を利用して、通信端末装置ＭＳの動作の概略説明をする。
【００２２】
図２では、基地局装置ＢＳ１が送信する送信データ２０１と、基地局装置ＢＳ２が送信する送信データ２０２とを通信端末装置ＭＳが受信するものとする。
【００２３】
図２では、送信データ２０１及び送信データ２０２とは、それぞれＤａｔａ♯１から♯７の７つのデータブロックを有していることを示している。両者は同一内容のデータである。データブロックの時間長は、ＴＴＩ（１０〜８０ｍｓ）間隔ほどである。従って通信端末装置ＭＳは、基地局装置ＢＳ１から所定のデータブロックのデータを正しく受信した場合には、そのデータブロックについては、基地局装置ＢＳ２からの受信信号を逆拡散処理する必要はない。しかし、所定のデータブロックＤａｔａ♯１から♯７のいずれかのデータの受信に失敗した場合には、基地局装置ＢＳ２が送信する該当のデータブロックのデータを取得する必要がある。
【００２４】
図２では、通信端末装置ＭＳが、送信データ２０１のデータブロックＤａｔａ♯１から♯７を受信し、各データブロックの受信結果が、図２の「２０５：ＣＲＣ判定結果」で示すように、データブロック♯１、♯２、♯５および♯７では正しく受信（図中「ＯＫ」で示す）したが、データブロック♯３、♯４および♯６については誤って受信（図中「ＮＧ」で示す）したことを示している。
【００２５】
従ってこの場合、通信端末装置ＭＳは、誤った受信をしたデータブロック♯３、♯４および♯６については、基地局装置ＢＳ２から受信して取得し、データ補完の処理をする必要がある。この様子を図２の「２０６：逆拡散対象基地局装置」で示してある。すなわち、図２の「２０６：逆拡散対象基地局装置」で示すように、基地局装置ＢＳ２がデータブロックＤａｔａ♯３、♯４および♯６を送信するタイミングでは、通信端末装置ＭＳは、基地局装置ＢＳ１からだけでなく基地局装置ＢＳ２からの信号も、逆拡散する状態となる。なお、基地局装置ＢＳ１が継続的に受信可能となっているのは、基地局装置ＢＳ１の送信データ２０１が、基地局装置ＢＳ２の送信データ２０２よりタイミング差Ｔ２０４相当分先行してデータを送信しているので、通信端末装置ＭＳは基地局装置ＢＳ１からのデータを優先して取得するからである。
【００２６】
このように複数の基地局装置が、所定のタイミング差で同一のデータを送信することは、通信端末装置ＭＳが携帯電話である場合に、複数の基地局装置が連動して、同一データ、例えば災害情報などの緊急情報、あるいは放送的な音声データを多数の携帯電話に対して送信するＭＢＭＳ（Multimedia Broadcast/Multicast Service）システムとして採用される。
【００２７】
なお、上の説明では、基地局装置ＢＳ１が基地局装置ＢＳ２より先行してデータを送信するもとして説明したが、これは固定的なものではなく、通信端末装置ＭＳが予め記憶しているアルゴリズムに従い受信条件に応じて選定するものである。
【００２８】
以下、実施の形態１に係る通信端末装置ＭＳの動作を説明する。概略動作を説明したように、ここで、今通信端末装置ＭＳは、基地局装置ＢＳ１及び基地局装置ＢＳ２の両方から同一データを受信するものとする。また、基地局装置ＢＳ１からの送信データ２０１と基地局装置ＢＳ２からの送信データ２０２において同一受信データブロック間の受信タイミング差Ｔ２０４が存在し、基地局装置ＢＳ１からの送信データ２０１を先に受信するものとする。また、この実施の形態１においては、基地局装置ＢＳ１および基地局装置ＢＳ２は、共通チャネルであるＳＣＣＰＣＨを使用して同一データを受信タイミング差Ｔ２０４で送信を行う。以下、これを前提として説明する。
【００２９】
なお、パスサーチ処理回路１００は、図２中のパスサーチ起動タイミング２０３毎に作動し、次回パスサーチ起動タイミング２０３までフィンガに割り当てる有効パスを選択し、保持する。本実施の形態では、パスサーチ起動タイミング２０３の間隔は、送信データブロックと同じ時間長とする。
【００３０】
今、通信端末装置ＭＳがＭＢＭＳシステム上で希望するサービスを受信する際、通信端末装置ＭＳは初期処理を行う（ＳＴ３０１）。すなわち、この初期処理は、希望サービスへの登録や受信環境の確認など移動体通信端末としての通常の初期処理の他、複数の基地局装置のうち、どの基地局装置からの受信が有効か、ないし優先すべきであるかの選定、いわば初期基準基地局装置の選定も含んでいる。具体的には、最初は基地局装置ＢＳ１からの受信が有効で、かつ基地局装置ＢＳ２からの受信よりも受信タイミング差Ｔ２０４先行しているので、初期基準基地局装置としては、基地局装置ＢＳ１が選定されているものとする。この選定結果は、パス選択制御部１０３に記憶され、この選定に伴いパス選択部１０２−１を介して、逆拡散処理部１０６−１は基地局装置ＢＳ１に対応するフィンガを割り当てる（図２の「２０６：逆拡散対象基地局装置」参照）。
【００３１】
以上の処理を完了すると、通信端末装置ＭＳは初期処理完了状態となり、パスサーチ起動タイミングの到来を待つ（ＳＴ３０２）。
【００３２】
パスサーチ起動タイミング２０３が到来する（ＳＴ３０２：ＹＥＳ）と、通信端末装置ＭＳは、受信基地局装置数に応じた遅延プロファイルを作成する（ＳＴ３０３）。ここでは、基地局装置ＢＳ１，ＢＳ２の両局について作成する。次に、通信端末装置ＭＳは、パス選択制御部１０３の記憶内容に基づき、基地局装置ＢＳ１からのみ受信を逆拡散するか、基地局装置ＢＳ２からも合わせて受信信号を逆拡散するかを判定する（ＳＴ３０４）。このパスサーチ起動タイミングにおいて基地局装置ＢＳ２から受信するデータが、先行してデータを送信する基地局装置ＢＳ１からの受信データとして既に正しく受信されている場合、すなわち基地局装置ＢＳ２からの受信信号の逆拡散が不要である場合は（ＳＴ３０４：ＮＯ）、通信端末装置ＭＳは、基地局装置ＢＳ１のパスのみを選択し（ＳＴ３０５）、対応するフィンガ割り当てを行う（ＳＴ３０６）。ステップＳＴ３０４の判定結果が逆で、基地局装置ＢＳ２からの受信信号の逆拡散も合わせて必要な場合は（ＳＴ３０４：ＹＥＳ）、通信端末装置ＭＳは、基地局装置ＢＳ２のパスを選択し（ＳＴ３０７）、対応するフィンガ割り当てを行う（ＳＴ３０８）。
【００３３】
次に通信端末装置ＭＳは、ステップＳＴ３０６若しくはステップＳＴ３０８でフィンガ割り当てがされた逆拡散処理部１０６−１あるいは逆拡散処理部１０６−２または両方で各パスタイミングでの逆拡散を行う（ＳＴ３０９）。逆拡散して得られた各受信データについては、誤り検出部１０７が誤り検出を行う（ＳＴ３１０）。この誤り検出の結果は、パス選択制御部１０３に記憶される（ＳＴ３１１、ＳＴ３１２、ＳＴ３１３）。受信結果が「ＯＫ」の場合は、受信データは上位レイヤで合成等され利用されるので、通信端末装置ＭＳは、上位レイヤ処理部１０８で受信データに対し上位レイヤにデータ転送する処理を行い、上位レイヤに出力する（ＳＴ３１４）。
【００３４】
以下、実施の形態１に係る通信端末装置ＭＳの動作を具体的に説明する。
【００３５】
今、パスサーチ起動タイミング２０３が到来し、図２に示す時刻ｔ１になると（ＳＴ３０２：ＹＥＳ）、パスサーチ処理回路１００が作動し、遅延プロファイル作成部１０１−１、１０１−２は、各基地局装置ＢＳ１、ＢＳ２の遅延プロファイルを作成する（ＳＴ３０３）。
【００３６】
次にステップＳＴ３０４で、基地局装置ＢＳ２からの受信信号の逆拡散が必要かをパス選択制御部１０３は、その記憶内容に基づき、判定する（ＳＴ３０４）。今回は最初の受信であるので、図２の参照符号２０６で示すように、パス選択制御部１０３は、基地局装置ＢＳ２からの受信信号の逆拡散は必要なし（ＳＴ３０４：ＮＯ）と判定する。
【００３７】
これに伴い、パス選択制御部１０３は、パス選択部１０２−１に対してのみパスの選択を指令する（ＳＴ３０５）。
【００３８】
この指令を受けてパス選択部１０２−１は、予め基地局装置ＢＳ１用に割り当てられたフィンガ数の有効パスを逆拡散処理部１０６−１に対し、割り当てる（ＳＴ３０６）。このとき基地局装置ＢＳ２用のフィンガは割り当てられないので、基地局装置ＢＳ２用のフィンガ部は動作を停止し、その分通信端末装置ＭＳの電力消費は抑制される。
【００３９】
その後、ステップＳＴ３０９で逆拡散処理部１０６−１は、基地局装置ＢＳ１用のフィンガに割り当てられた有効パスのパスタイミングを用いて基地局装置ＢＳ１からの送信データ２０１のＤａｔａ＃１ブロックの逆拡散を行って復調および復号し、復号結果である受信データを誤り検出部１０７に出力する。ステップＳＴ３１０では誤り検出部１０７は、基地局装置ＢＳ１のＤａｔａ＃１ブロックに付随するＣＲＣ判定処理を行う。
【００４０】
ステップＳＴ３１１においてＤａｔａ＃１ブロックに付随するＣＲＣ判定結果が「ＯＫ」つまり「誤りなし」と誤り検出部１０７が判定すると（ＳＴ３１１：ＹＥＳ）、誤り検出部１０７は、判定結果をパス選択制御部１０３と上位レイヤ処理部１０８とに出力する。
【００４１】
これを受けて、ステップＳＴ３１２においてパス選択制御部１０３は、基地局装置ＢＳ１のＤａｔａ＃１ブロックの「ＣＲＣ  ＯＫ」情報を記憶し、ステップＳＴ３１４では上位レイヤ処理部１０８は、基地局装置ＢＳ１のＤａｔａ＃１ブロックに対し上位レイヤに転送するためのデータ処理を行う。
【００４２】
ステップＳＴ３１１において基地局装置ＢＳ１のＤａｔａ＃１ブロックに付随するＣＲＣ判定結果が「ＮＧ」つまり「誤りあり」と判定された場合、ステップＳＴ３１３において基地局装置ＢＳ１のＤａｔａ＃１ブロックの「ＣＲＣ  ＮＧ」情報をパス選択制御部１０３は記憶する。ここでは、図２に示すように、基地局装置ＢＳ１のＤａｔａ＃１ブロックに対するＣＲＣ判定結果２０５は「ＯＫ」であり、基地局装置ＢＳ１のＤａｔａ＃１ブロックに対する「ＣＲＣ  ＯＫ」情報を、パス選択制御部１０３は、記憶する。このようにして時刻ｔ１での処理が終了すると、通信端末装置ＭＳは次のパスサーチ起動タイミングの到来を待つ（ＳＴ３０２）。
【００４３】
次のパスサーチ起動タイミング２０３が到来すると、図２に示す時刻ｔ２での処理が始まる。この時刻ｔ２においても、基地局装置ＢＳ１およびＢＳ２に対する遅延プロファイルを作成する（ＳＴ３０３）。この時刻ｔ２では、時刻ｔ１と同様基地局装置ＢＳ２からの受信信号の逆拡散は必要なく、基地局装置ＢＳ１のからの受信信号の逆拡散のみすればよいので（ＳＴ３０４：ＮＯ）、パス選択制御部１０３は、パス選択部１０２−１に対して基地局装置ＢＳ１のパスのみ選択するよう指令する（ＳＴ３０５）。これに応じてパス選択部１０２−１は、基地局装置ＢＳ１に対して、有効パスの選択をし（ＳＴ３０５）、有効パスのフィンガ割り当てを行う（ＳＴ３０６）。続いて逆拡散処理部１０６−１は、基地局装置ＢＳ１のＤａｔａ＃２ブロックの逆拡散を行い（ＳＴ３０９）、誤り判定部１０７は、ＣＲＣ判定処理を行う（ＳＴ３１０）。ここでも、図２にタイミング図で示すように、基地局装置ＢＳ１のＤａｔａ＃２ブロックに対するＣＲＣ判定結果２０５は「ＯＫ」であり、基地局装置ＢＳ１のＤａｔａ＃２ブロックに対する「ＣＲＣ  ＯＫ」情報を、パス選択制御部１０３は記憶する。これで時刻ｔ２からの処理は終了し、通信端末装置ＭＳは次のパスサーチ起動タイミングの到来を待つ（ＳＴ３０２）。
【００４４】
次のパスサーチ起動タイミング２０３が到来すると、図２に示す時刻ｔ３での処理が始まる。時刻ｔ３においては、時刻ｔ１、ｔ２の場合とは異なり、図２に示すように、基地局装置ＢＳ２の送信データ２０２は、受信データブロック♯１が到来するタイミングであり、通信端末装置ＭＳは、必要な場合には基地局装置ＢＳ２からもデータを受信し復調する。
【００４５】
このような条件の下で、パスサーチ起動タイミング２０３の到来に応じて、遅延プロファイル作成部１０１−１、１０１−２は、基地局装置ＢＳ１およびＢＳ２に対する遅延プロファイル作成する（ＳＴ３０３）。
【００４６】
次にパス選択制御部１０３は、その記憶内容に基づき基地局装置ＢＳ２から受信が必要か判定する（ＳＴ３０４）。その結果、ステップＳＴ３０４において、パス選択制御部１０３では基地局装置ＢＳ１からの送信データ２０１のＤａｔａ＃１ブロックに対する「ＣＲＣ  ＯＫ」は既知であり（時刻ｔ１におけるステップＳＴ３１１：ＹＥＳ、ＳＴ３１２）、また同一データブロック間の受信タイミング差Ｔ２０４も既知（初期処理時（ステップＳＴ３０１）等に通信端末装置ＭＳは予め知っているものとする。）であるので、時刻ｔ３以降で受信することがわかっている基地局装置ＢＳ２のＤａｔａ＃１ブロックを受信し復調する必要はなく（ＳＴ３０４：ＮＯ）、基地局装置ＢＳ２の遅延プロファイルからの有効パスの選択（ＳＴ３０７）、有効パスのフィンガ割り当て（ＳＴ３０８）は行わない。
【００４７】
この後、通信端末装置ＭＳは、時刻ｔ１、ｔ２の場合と同様にして、ステップＳＴ３０５以降の動作を行う。すなわち、ステップＳＴ３０５でパス選択部１０２−１によって基地局装置ＢＳ１の遅延プロファイルからのみフィンガに割り当てる有効パスを選択し、ステップＳＴ３０６では予め基地局装置ＢＳ１用に割り当てられたフィンガ数分のみ有効パスを逆拡散処理部１０６−１が有するフィンガに割り当てる。
【００４８】
その後、ステップＳＴ３０９では逆拡散処理部１０６−１においてフィンガに割り当てられた基地局装置ＢＳ１の遅延プロファイルから選択された有効パスのパスタイミングのみを用いて基地局装置ＢＳ１からの送信データ２０１のＤａｔａ＃３ブロックの逆拡散を行い、ステップＳＴ３１０では誤り検出部１０７によって基地局装置ＢＳ１のＤａｔａ＃３ブロックに付随するＣＲＣ判定処理を行う。
【００４９】
ステップＳＴ３１１において基地局装置ＢＳ１のＤａｔａ＃３ブロックに付随するＣＲＣ判定結果が「ＯＫ」つまり誤りなしと判定された場合、ステップＳＴ３１２において基地局装置ＢＳ１のＤａｔａ＃３ブロックの「ＣＲＣ  ＯＫ」情報をパス選択制御部１０３が記憶し、ステップＳＴ３１４で上位レイヤ処理部１０８は基地局装置ＢＳ１のＤａｔａ＃３ブロックに対して上位レイヤに転送するための対応するデータ処理を行う。
【００５０】
ステップＳＴ３１１において基地局装置ＢＳ１のＤａｔａ＃３ブロックに付随するＣＲＣ判定結果が「ＮＧ」つまり「誤りあり」と判定された場合（ＳＴ３１１：ＮＯ）、ステップＳＴ３１３において基地局装置ＢＳ１のＤａｔａ＃３ブロックの「ＣＲＣ  ＮＧ」情報を、パス選択制御部１０３が記憶する。この時刻ｔ３では、図２のタイミング図で、ＣＲＣ判定結果２０５として示すように、基地局装置ＢＳ１のＤａｔａ＃３ブロックに対するＣＲＣ判定結果は「ＮＧ」であるので、基地局装置ＢＳ１のＤａｔａ＃３ブロックに対する「ＣＲＣ  ＮＧ」情報を、パス選択制御部１０３は記憶する。これによって、Ｄａｔａ＃３ブロックについては、後に受信する基地局装置ＢＳ２の送信データ２０２から逆拡散して復調し、データ補完処理するべきことを、パス選択制御部１０３は記憶する。このようにして時刻ｔ３での処理が終了すると、通信端末装置ＭＳは次のパスサーチ起動タイミングの到来を待つ（ＳＴ３０２）。
【００５１】
次のパスサーチ起動タイミング２０３が到来すると、図２に示す時刻ｔ４での処理が始まる。この時刻ｔ４においても、基地局装置ＢＳ１およびＢＳ２に対する遅延プロファイル作成する（ＳＴ３０３）。図２のタイミング図で示すように、この時刻ｔ４では、時刻ｔ３と同様、パス選択制御部１０３は、その記憶内容に基づき基地局装置ＢＳ２から受信信号の逆拡散が必要か判定する（ＳＴ３０４）。その結果、ステップＳＴ３０４において、パス選択制御部１０３では基地局装置ＢＳ１からの送信データ２０１のＤａｔａ＃２ブロックに対する「ＣＲＣ  ＯＫ」は既知であり（時刻ｔ２におけるステップＳＴ３１１：ＹＥＳ、ＳＴ３１２）、また同一受信データブロック間の受信タイミング差Ｔ２０４も既知であるので、時刻ｔ４以降で受信することがわかっている基地局装置ＢＳ２のＤａｔａ＃２ブロックを復調する必要はなく（ＳＴ３０４：ＮＯ）、通信端末装置ＭＳは、基地局装置ＢＳ２の遅延プロファイルからの有効パスの選択（ＳＴ３０７）および、有効パスのフィンガ割り当て（ＳＴ３０８）は行わない。
【００５２】
この後、時刻ｔ１、ｔ２、ｔ３と同様、ステップＳＴ３０５でパス選択部１０２−１によって基地局装置ＢＳ１の遅延プロファイルからのみフィンガに割り当てる有効パスを選択し、ステップＳＴ３０６では予め基地局装置ＢＳ１用に割り当てられたフィンガ数分のみ有効パスを逆拡散処理部１０６−１が有するフィンガに割り当てる。
【００５３】
その後、ステップＳＴ３０９では逆拡散処理部１０６−１は、そのフィンガに割り当てられた有効パスのパスタイミングを用いて基地局装置ＢＳ１からの送信データ２０１のＤａｔａ＃４ブロックの逆拡散を行い、ステップＳＴ３１０では誤り検出部１０７が、基地局装置ＢＳ１のＤａｔａ＃４ブロックに付随するＣＲＣの判定処理を行う。
【００５４】
この場合の判定結果は、図２にＣＲＣ判定結果２０５に示すように、誤りであり、ステップＳＴ３１１において基地局装置ＢＳ１のＤａｔａ＃４ブロックに付随するＣＲＣ判定結果が「ＮＧ」つまり誤りありと判定され（ＳＴ３１１：ＮＯ）、ステップＳＴ３１３において基地局装置ＢＳ１のＤａｔａ＃４ブロックの「ＣＲＣ  ＮＧ」情報を、パス選択制御部１０３が記憶する。これによって、Ｄａｔａ＃４ブロックについては、後行して受信する基地局装置ＢＳ２の送信データ２０２から復調するべきことを、パス選択制御部１０３は記憶する。このようにして時刻ｔ４での処理が終了すると、通信端末装置ＭＳは次のパスサーチ起動タイミングの到来を待つ（ＳＴ３０２）。
【００５５】
次のパスサーチ起動タイミング２０３が到来すると、図２に示す時刻ｔ５での処理が始まる。この時刻ｔ５においても、遅延プロファイル作成部１０１−１、１０１−２は、基地局装置ＢＳ１およびＢＳ２に対する遅延プロファイル作成する（ＳＴ３０３）。
【００５６】
次にパス選択制御部１０３は、その記憶内容に基づき基地局装置ＢＳ２からの受信信号の逆拡散が必要か判定する（ＳＴ３０４）。その結果、ステップＳＴ３０４において、パス選択制御部１０３では基地局装置ＢＳ１からの送信データ２０１のＤａｔａ＃３ブロックに対する「ＣＲＣ  ＮＧ」は既知であり（時刻ｔ３におけるステップＳＴ３１１：ＮＯ、ＳＴ３１３）、また同一データブロック間の受信タイミング差Ｔ２０４も既知であるので、時刻ｔ５以降で受信することがわかっている基地局装置ＢＳ２のＤａｔａ＃３ブロックを受信し、復調する必要があると、パス選択制御部１０３は判定する（ＳＴ３０４：ＹＥＳ）。これに伴い、パス選択制御部１０３は、ステップＳＴ３０３で遅延プロファイル作成部１０１−２が作成した基地局装置ＢＳ２の遅延プロファイルからの基地局装置ＢＳ２の有効パスの選択をパス選択部１０２−２に指令し（ＳＴ３０７）、これを受けてパス選択部１０２−２は、予め基地局装置ＢＳ２用に割り当てられたフィンガ数の有効パスを逆拡散処理部１０６−２に対し、割り当てる（ＳＴ３０８）。これによって、先行する時刻ｔ１ないしｔ４の場合とは異なり、逆拡散処理部１０６−２は、基地局装置ＢＳ２の送信データ２０２の逆拡散が可能となる。
【００５７】
次に、通信端末装置ＭＳは、時刻ｔ１ないしｔ４同様、ステップＳＴ３０５以降の動作をする。すなわち、ステップＳＴ３０５でパス選択部１０２−１によって基地局装置ＢＳ１の遅延プロファイルからフィンガに割り当てる有効パスを選択し、ステップＳＴ３０６では予め基地局装置ＢＳ１用に割り当てられたフィンガ数分の有効パスを逆拡散処理部１０６−１が有するフィンガに割り当てる。
【００５８】
その後、ステップＳＴ３０９では逆拡散処理部１０６−１および１０６−２は、各フィンガに割り当てられた基地局装置ＢＳ１及びＢＳ２の各遅延プロファイルから選択された有効パスのパスタイミングを用いて基地局装置ＢＳ１からの送信データ２０１のＤａｔａ＃５ブロックおよび基地局装置ＢＳ２からの送信データ２０２のＤａｔａ＃３ブロックの逆拡散を行い、ステップＳＴ３１０では誤り検出部１０７が、基地局装置ＢＳ１のＤａｔａ＃５ブロック及び基地局装置ＢＳ２のＤａｔａ＃３ブロック各々に付随するＣＲＣの判定処理を行う。
【００５９】
ステップＳＴ３１１において基地局装置ＢＳ１のＤａｔａ＃５ブロック及び基地局装置ＢＳ２のＤａｔａ＃３ブロック各々に付随するＣＲＣ判定結果が「ＯＫ」つまり誤りなしと判定された場合、ステップＳＴ３１２において基地局装置ＢＳ１のＤａｔａ＃５ブロック及び基地局装置ＢＳ２のＤａｔａ＃３ブロック各々の「ＣＲＣ  ＯＫ」情報を、パス選択制御部１０３で記憶し、ステップＳＴ３１４では基地局装置ＢＳ１のＤａｔａ＃５ブロック及び基地局装置ＢＳ２のＤａｔａ＃３ブロック各々に対して上位レイヤ処理部１０８でデータ処理を行う。
【００６０】
一方ステップＳＴ３１１において基地局装置ＢＳ１のＤａｔａ＃５ブロック及び／または基地局装置ＢＳ２のＤａｔａ＃３ブロック各々に付随するＣＲＣ判定結果が「ＮＧ」つまり誤りありと判定された場合、ステップＳＴ３１３において基地局装置ＢＳ１のＤａｔａ＃５ブロック及び／または基地局装置ＢＳ２のＤａｔａ＃３ブロック各々の「ＣＲＣ  ＮＧ」情報をパス選択制御部１０３で記憶する。ここでは、基地局装置ＢＳ１のＤａｔａ＃５ブロックに対するＣＲＣ判定結果２０５は「ＯＫ」とし、基地局装置ＢＳ１のＤａｔａ＃５ブロックに対する「ＣＲＣ  ＯＫ」情報をパス選択制御部１０３で記憶しておく。ここで、基地局装置ＢＳ２のＤａｔａ＃３ブロックが「ＣＲＣ  ＮＧ」である場合も前記パス選択制御部１０３でその情報を記憶しておく。本実施の形態では２つの基地局装置を想定しているが、例えば３つの基地局装置からデータを受信する場合、第３の基地局装置のＤａｔａ＃３ブロックを受信する際に、その情報を利用するためである。このようにして時刻ｔ５での処理が終了すると、通信端末装置ＭＳは次のパスサーチ起動タイミングの到来を待つ（ＳＴ３０２）。
【００６１】
次のパスサーチ起動タイミング２０３が到来すると、図２に示す時刻ｔ６での処理が始まる。この時刻ｔ６においても、遅延プロファイル作成部１０１−１、１０１−２は、基地局装置ＢＳ１およびＢＳ２に対する遅延プロファイル作成する（ＳＴ３０３）。
【００６２】
次に、パス選択制御部１０３は、その記憶内容に基づき基地局装置ＢＳ２から受信が必要か判定する（ＳＴ３０４）。ステップＳＴ３０４において、その結果は時刻ｔ５と同様、パス選択制御部１０３では基地局装置ＢＳ１からの受信データブロック２０１のＤａｔａ＃４ブロックに対する「ＣＲＣ  ＮＧ」は既知であり（時刻ｔ４におけるステップＳＴ３１１：ＮＯ、ＳＴ３１３）、また同一受信データブロック間の受信タイミング差Ｔ２０４も既知であるので、時刻ｔ６以降で受信することがわかっている基地局装置ＢＳ２のＤａｔａ＃４ブロックを復調する必要がある（ＳＴ３０４：ＹＥＳ）と、パス選択制御部１０３は判定する。これに伴い、パス選択部１０２−２は、ステップＳＴ３０３で遅延プロファイル作成部１０１−２が作成した基地局装置ＢＳ２の遅延プロファイルから基地局装置ＢＳ２の有効パスの選択をパス選択部１０２−２に指令し（ＳＴ３０７）、これを受けてパス選択部１０２−２は、予め基地局装置ＢＳ２用に割り当てられたフィンガ数の有効パスを逆拡散処理部１０６−２に対し、割り当てる（ＳＴ３０８）。これによって、時刻ｔ５の場合と同様、逆拡散処理部１０６−２は、基地局装置ＢＳ２の送信データ２０２の逆拡散が可能となる。
【００６３】
以下、通信端末装置ＭＳは、同様にして、ステップＳＴ３０５以降の動作を行い、時刻ｔ６の処理を終了する。通信端末装置ＭＳは、続いて時刻ｔ７の処理を行うが、これに伴う処理並びに動作は、時刻ｔ１ないしｔ５に関連して説明したところ同様であるので省略する。
【００６４】
このように、図３−１、図３−２に示す各処理をパスサーチ起動タイミング毎に続けていくと、フィンガに割り当てる有効パスの選択対象基地局装置は、図２の「２０６：逆拡散対象基地局装置」で示すように、各タイミングで変化するが、基地局装置ＢＳ２からの受信データの逆拡散は、先行する基地局装置ＢＳ１からのデータが「ＮＧ」であった場合に限られる。
【００６５】
このように本実施の形態によれば、複数基地局装置から同一データブロックを受信する際、ある一基地局装置からの受信したデータブロックの受信品質が所要品質を満足するならば、別の基地局装置から同一のデータブロックを受信する区間では、別の基地局装置の遅延プロファイルから有効パスを該当するフィンガに割り当てないよう制御をすることにより、有効パスのタイミングを用いて動作する逆拡散回路で処理するフィンガ数が抑制され、不要な逆拡散処理は行わず消費電力をより低下させることができる。
【００６６】
また、基地局装置はＢＳ１、ＢＳ２の２個に限るものではなく、より多数であってもよい。また、対象基地局装置の全てから正しいデータを受信できなかった場合に、再送要求制御を行うか、放置するか等は、通信端末装置ＭＳで選択可能であるが、本実施の形態の直接的事項ではなく、また慣用技術が採用可能であるので、その詳しい説明は省略する。
【００６７】
（実施の形態２）
次に、本発明の実施の形態２について説明する。先に説明した実施の形態１においては、サーチ起動タイミング２０３ごとに、基地局装置ＢＳ１のみならず基地局装置ＢＳ２についても遅延プロファイルを作成したが、実施の形態２は、必要な基地局装置についてのみ遅延プロファイル作成をする点で異なる。
【００６８】
本発明の実施の形態２に係る通信端末装置ＭＳの構成を示すブロック図を図４に示す。なお、実施の形態２に係る通信端末装置は、図１の通信端末装置ＭＳと基本的に同じ構成であり、同一機能には同一の参照符号を付し、その詳細な説明を必要に応じて簡略化し、あるいは省略する。
【００６９】
図４において、パスサーチ処理回路４００は、遅延プロファイル作成部１０１−１、１０１−２と、パス選択部１０２−１、１０２−２と、遅延プロファイル作成制御部４０１とを有する。
【００７０】
遅延プロファイル作成制御部４０１は、受信信号の逆拡散するべき基地局装置を示す情報を、誤り検出部１０７の出力を受けて、順次記憶しており、この記憶内容に基づき、次に信号を逆拡散するべき基地局装置をパス選択部１０２−１、１０２−２に対し指定する。パス選択部１０２−１、１０２−２は、遅延プロファイル作成制御部４０１で選択された基地局装置について、遅延プロファイル作成部１０１−１、１０１−２で作成された遅延プロファイルより有効パスを選択する。
【００７１】
逆拡散処理部１０６−１、１０６−２は、パスサーチ処理回路４００からの有効パスの情報を用いて逆拡散を行って受信データを出力する。
【００７２】
誤り検出部１０７は、逆拡散処理部１０６−１、１０６−２から出力される受信データに対して、所定の受信データブロックごとに、誤り検出処理を行う。誤り検出部１０７は、現在処理中の基地局装置からの受信データブロックに対するＣＲＣ判定結果を遅延プロファイル作成制御部４０１に転送する。
【００７３】
以上のように構成された通信端末装置ＭＳについて、図２、図５−１、図５−２を用いてその動作を説明する。
【００７４】
図２は、実施の形態２に係る通信端末装置ＭＳの動作を時系列に示すタイミング図である。すなわち、実施の形態２においても、実施の形態１の場合と同様、基地局装置ＢＳ１が送信する送信データ２０１と、基地局装置ＢＳ２が送信する送信データ２０２とは同一内容で、そのタイミング差Ｔ２０４があるものとして、通信端末装置ＭＳの動作を説明する。
【００７５】
図５−１、図５−２は、本実施の形態２に係る通信端末装置ＭＳの動作を表すフロー図である。図５−１、図５−２において、図３−１、図３−２のステップと同じ処理をするステップについては、同じ参照符号を付して詳細説明を省略する。
【００７６】
今、通信端末装置ＭＳに電源が投入される等すると、通信端末装置ＭＳは初期処理を行う（ＳＴ５０１）。すなわち、この初期処理では、最初は基地局装置ＢＳ１からの受信が有効で、かつ基地局装置ＢＳ２からの受信よりも受信タイミング差Ｔ２０４先行しているので、初期基準基地局装置としては、基地局装置ＢＳ１が選定されているものとする。この選定結果は、遅延プロファイル作成制御部４０１に記憶される。
【００７７】
以上の処理を完了すると、通信端末装置ＭＳは初期処理完了状態となり、パスサーチ起動タイミングの到来を待つ（ＳＴ３０２）。
【００７８】
今、パスサーチ起動タイミング２０３が到来し、図２に示す時刻ｔ１になると（ＳＴ３０２：ＹＥＳ）、次にステップＳＴ５０２で、基地局装置ＢＳ２からの受信信号の逆拡散が必要かを遅延プロファイル作成制御部４０１は、その記憶内容に基づき、判定する。今回は最初の受信であるので、図２に参照符号２０６で示すように、遅延プロファイル作成制御部４０１は、基地局装置ＢＳ２からの受信信号の逆拡散は必要なく、逆拡散処理部１０６−２は動作が不要である（ＳＴ５０２：ＮＯ）と判定する。
【００７９】
これに伴い、遅延プロファイル作成制御部４０１は、遅延プロファイル作成部１０１−１を起動し、遅延プロファイル作成部１０１−１は、基地局装置ＢＳ１についての遅延プロファイルを作成する（ＳＴ５０３）。これと並行して、遅延プロファイル作成制御部４０１は、パス選択部１０２−１に対してのみパスの選択を指令する（ＳＴ５０４）。
【００８０】
この指令を受けてパス選択部１０２−１は、予め基地局装置ＢＳ１用に割り当てられたフィンガ数の有効パスを、ステップＳＴ５０３で作成された基地局装置ＢＳ１の遅延プロファイルに基づき、逆拡散処理部１０６−１に対し割り当てる（ＳＴ３０６）。
【００８１】
以下、実施の形態１の場合の時刻ｔ１と同様通信端末装置ＭＳ、逆拡散処理部１０６−１による基地局装置ＢＳ１からの受信信号のみを逆拡散し（ＳＴ３０９）、そのデータの誤り検出し（ＳＴ３１０）、誤り無しと判定する（ＳＴ３１１：ＹＥＳ）。その結果、誤り判定部１０７は、判定結果を遅延プロファイル作成制御部４０１と上位レイヤ処理部１０８とに出力する。
【００８２】
これを受けて時刻ｔ１では、ステップＳＴ５０５において遅延プロファイル作成制御部４０１は、基地局装置ＢＳ１のＤａｔａ＃１ブロックの「ＣＲＣ  ＯＫ」情報を記憶し、このブロックに関し基地局装置ＢＳ２から受信する必要が無いことを記憶する。以下、ステップＳＴ３１４では上位レイヤ処理部１０８は、基地局装置ＢＳ１のＤａｔａ＃１ブロックに対し上位レイヤに転送するためのデータ処理を行う。
【００８３】
このようにして時刻ｔ１での処理が終了すると、通信端末装置ＭＳは時刻ｔ２以降の処理を順次行い、時刻ｔ２での処理が終了したとする。
【００８４】
次の時刻ｔ３の処理においては、時刻ｔ１、ｔ２の場合とは異なり、図２のタイムチャートに、ＣＲＣ判定結果２０５として示すように、基地局装置ＢＳ１のＤａｔａ＃３ブロックに対するＣＲＣ判定結果は「ＮＧ」である。すなわち、ステップＳＴ３１１の判定結果が「ＮＯ」となった場合であり、これに伴い、誤り検出部１０７は判定結果を遅延プロファイル作成制御部４０１に出力する。これによって、遅延プロファイル作成制御部４０１は、Ｄａｔａ＃３ブロックについては、後に受信する基地局装置ＢＳ２の送信データ２０２から逆拡散して復調し補完するべきことを、記憶する（ＳＴ５０６）。具体的には、時刻ｔ５のタイミングに基地局装置ＢＳ２からの送信データを復調するべきことを、遅延プロファイル作成制御部４０１は記憶する。このようにして時刻ｔ３での処理が終了すると、通信端末装置ＭＳは次のパスサーチ起動タイミングの到来を待つ（ＳＴ３０２）。次に時刻ｔ４において、対応する処理がなされ、終了したものとする。
【００８５】
次のパスサーチ起動タイミング２０３が到来すると（ＳＴ３０２：ＹＥＳ）、図２に示す時刻ｔ５での処理が始まる。
【００８６】
ステップＳＴ５０２において、遅延プロファイル作成制御部４０１は、その記憶内容に基づき基地局装置ＢＳ２からの受信信号の逆拡散が必要か判定する。その結果、遅延プロファイル作成制御部４０１は、基地局装置ＢＳ１からの送信データ２０１のＤａｔａ＃３ブロックに対する「ＣＲＣ  ＮＧ」は既知であり（時刻ｔ３におけるステップＳＴ３１１：ＮＯ、ＳＴ５０６）、また同一データブロック間の受信タイミング差Ｔ２０４も既知であるので、時刻ｔ５以降で受信することがわかっている基地局装置ＢＳ２のＤａｔａ＃３ブロックを受信し、復調する必要があると、遅延プロファイル作成制御部４０１は判定する（ＳＴ５０２：ＹＥＳ）。これに伴い、遅延プロファイル作成制御部４０１は、遅延プロファイル作成部１０１−２を起動し、遅延プロファイル作成部１０１−２は、基地局装置ＢＳ２の遅延プロファイルを作成する（ＳＴ５０７）。これと並行して、遅延プロファイル作成制御部４０１は、基地局装置ＢＳ２の有効パスの選択をパス選択部１０２−２に指令する（ＳＴ３０７）。これを受けてパス選択部１０２−２は、基地局装置ＢＳ２の遅延プロファイルから予め基地局装置ＢＳ２用に割り当てられたフィンガ数の有効パスを逆拡散処理部１０６−２に対し、割り当てる（ＳＴ３０８）。これによって、先行する時刻ｔ１ないしｔ４の場合とは異なり、逆拡散処理部１０６−２は、基地局装置ＢＳ２の送信データ２０２の逆拡散が可能となる。
【００８７】
次に、通信端末装置ＭＳは、時刻ｔ１ないしｔ４同様、ステップＳＴ５０３以降の動作をする。すなわち、ステップＳＴ５０４でパス選択部１０２−１によって基地局装置ＢＳ１の遅延プロファイルからフィンガに割り当てる有効パスを選択し、ステップＳＴ３０６では予め基地局装置ＢＳ１用に割り当てられたフィンガ数分のみ有効パスを逆拡散処理部１０６−１が有するフィンガに割り当てる。
【００８８】
その後、ステップＳＴ３０９では逆拡散処理部１０６−１、１０６−２においてフィンガに割り当てられた基地局装置ＢＳ１及びＢＳ２の各遅延プロファイルから選択された有効パスのパスタイミングを用いて基地局装置ＢＳ１からの送信データ２０１のＤａｔａ＃５ブロック及び基地局装置ＢＳ２からの送信データ２０２のＤａｔａ＃３ブロックの逆拡散を行い、ステップＳＴ３１０では誤り検出部１０７によって基地局装置ＢＳ１のＤａｔａ＃５ブロック及び基地局装置ＢＳ２のＤａｔａ＃３ブロック各々に付随するＣＲＣの判定処理を行う。
【００８９】
ステップＳＴ３１１において基地局装置ＢＳ１のＤａｔａ＃５ブロック及び基地局装置ＢＳ２のＤａｔａ＃３ブロック各々に付随するＣＲＣ判定結果が「ＯＫ」つまり「誤りなし」と判定された場合、ステップＳＴ５０５において基地局装置ＢＳ１のＤａｔａ＃５ブロック及び基地局装置ＢＳ２のＤａｔａ＃３ブロック各々の「ＣＲＣ  ＯＫ」情報を、遅延プロファイル作成制御部４０１で記憶し、ステップＳＴ３１４では基地局装置ＢＳ１のＤａｔａ＃５ブロック及び基地局装置ＢＳ２のＤａｔａ＃３ブロック各々に対して上位レイヤ処理部１０８でデータ処理を行う。
【００９０】
以下、実施の形態１で示したように、通信端末装置ＭＳは、時刻ｔ６、ｔ７の各処理を順次実行する。
【００９１】
このように本実施の形態２に係る通信端末装置では、複数基地局装置から同一データブロックを受信する際、ある一基地局装置からの受信データブロックの受信品質が所要品質を満足する場合には、別のある一基地局装置からデータブロックと同一のデータブロックを受信する区間では、別のある一基地局装置の遅延プロファイルは作成しないよう制御するので、遅延プロファイルを作成するために用いる相関器において作成する遅延プロファイル数自体が制限され、実施の形態１の場合に比べても消費電力をより低下させることができる。
【００９２】
なお、上記実施の形態１及び２では、基地局装置ＢＳ１用またはＢＳ２用に各々有効パスを割り当てるフィンガ本数が割り当てられていることを説明したが、基地局装置ＢＳ１の有効パスのみフィンガに割り当てる際、基地局装置ＢＳ２用に割り当てられているフィンガにも基地局装置ＢＳ１の有効パスを割り当てできるよう制御することも同様に実施可能であり、基地局装置ＢＳ１の有効パスをより多くフィンガに割り当てることができ、受信性能の向上をはかることができる。
【００９３】
また、上記実施の形態１及び２では、データを送信する基地局装置数は２であるが、３以上の基地局装置が存在する場合、ある受信データブロックが一番最後に受信される基地局装置を除く他の基地局装置からの、同一受信データブロックに対するＣＲＣ判定結果をパス選択制御部１０３あるいは遅延プロファイル作成制御部４０１に記憶させることで同様に実施可能である。すなわち、本発明の実施の形態１においてはパス選択制御部１０３が、また実施の形態２においては遅延プロファイル作成制御部４０１が、通信端末装置ＭＳの逆拡散を行うか否かを制御しており、これらの制御により、通信端末装置ＭＳの省電力化が確保されている。
【００９４】
また、実施の形態１及び実施の形態２では、ＣＲＣ判定結果により有効パスを選択する対象の基地局装置数や遅延プロファイル作成数の制御を行っているが、各基地局装置からの受信データに対するＳＩＲやレベル測定結果を用いても同様に実施可能である。
【００９５】
また、上記実施の形態１及び実施の形態２では、パスサーチ起動タイミングと単一の受信データブロックの境界とが同期しているが、複数受信データブロックを受信後にパスサーチ起動タイミングが設定されているとしても同様に実施可能である。すなわち，逆拡散処理を行う必要があるデータブロックを送信する基地局装置の有効パスを割り当て、かつ対象となる前記データブロックを受信できるという条件が確保されていればよい。
【産業上の利用可能性】
【００９６】
本発明は、同一内容のデータを受信するにあたって、一方の基地局装置から正しくデータを受信すると、他方の基地局装置では同一データは受信しないよう、逆拡散処理するためのフィンガ数を制限するので、不要な処理は抑制でき、回路の消費電力をより低下させることができるので、複数の基地局装置からディジタルデータや音声情報の送信サービスを受ける携帯電話や携帯端末装置の低消費電力化に特に有用である。
【図面の簡単な説明】
【００９７】
【図１】本発明の実施の形態１に係る通信端末装置の構成を示すブロック図
【図２】本発明の実施の形態１および２に係る通信端末装置の動作説明のためのタイミング図
【図３−１】本発明の実施の形態１に係る通信端末装置の動作説明のためのフロー図
【図３−２】本発明の実施の形態１に係る通信端末装置の動作説明のためのフロー図
【図４】本発明の実施の形態２に係る通信端末装置の構成を示すブロック図
【図５−１】本発明の実施の形態２に係る通信端末装置の動作説明のためのフロー図
【図５−２】本発明の実施の形態２に係る通信端末装置の動作説明のためのフロー図
【符号の説明】
【００９８】
１００、４００  パスサーチ処理回路
１０１−１、１０１−２  遅延プロファイル作成部
１０２−１、１０２−２  パス選択部
１０３  パス選択制御部
１０４  受信アンテナ
１０５  高周波受信処理部
１０６−１、１０６−２  逆拡散処理部
１０７  誤り検出部
１０８  上位レイヤ処理部
２０５  基地局装置ＢＳ１からの受信データブロック列に対するＣＲＣ判定結果
２０６  逆拡散対象となる基地局装置
４０１  遅延プロファイル作成制御部
【図１】
2006295680.tif 000003
【図２】
2006295680.tif 000004
【図３−１】
2006295680.tif 000005
【図３−２】
2006295680.tif 000006
【図４】
2006295680.tif 000007
【図５−１】
2006295680.tif 000008
【図５−２】
2006295680.tif 000009